(57)【要約】【課題】  魚が餌に食いつきやすくして効率的な釣りを可能にし、初心者にとっても使いやすくするとともに、魚が餌をくわえた際の追従性を良好にして釣り上げの失敗要因の一つを解消する。【解決手段】  上端が支持基部Ｍにより支持され、かつ下端で錘Ｃを支持する幹糸部２と、この幹糸部２における複数の異なる中途位置に、先端に釣針Ｓ…を設けた複数のハリス部３ａ，３ｂ，３ｃ…の後端をそれぞれ結合してなる釣用仕掛け１を構成するに際して、ハリス部３ａ，３ｂ，３ｃ…における糸径Ｄｈと幹糸部２における糸径Ｄｍの関係を、Ｄｈ＞Ｄｍとなる糸径条件を満たすように設定する。【選択図】  図１
2018093810.tif 000002
【特許請求の範囲】
【請求項１】
上端が支持基部により支持され、かつ下端で錘を支持する幹糸部と、この幹糸部における複数の異なる中途位置に、先端に釣針を設けた複数のハリス部の後端をそれぞれ結合してなる釣用仕掛けにおいて、前記ハリス部における糸径Ｄｈと前記幹糸部における糸径Ｄｍの関係を、Ｄｈ＞Ｄｍとなる糸径条件を満たすように設定してなることを特徴とする釣用仕掛け。
【請求項２】
前記糸径条件は、前記ハリス部の号数を、前記幹糸部の号数に対して、１．５〜２．５倍の範囲に選定することを特徴とする請求項１記載の釣用仕掛け。
【請求項３】
少なくともワカサギを含む小魚釣りに用いることを特徴とする請求項１又は２記載の釣用仕掛け。
【請求項４】
前記幹糸部の号数は、０．０８号〜０．３号の範囲に選定してなることを特徴とする請求項３記載の釣用仕掛け。
【請求項５】
前記ハリス部の号数は、０．２号〜０．４号の範囲に選定してなることを特徴とする請求項３又は４記載の釣用仕掛け。
【請求項６】
前記ハリス部の長さは、１０〜３０〔ｍｍ〕の範囲に選定してなることを特徴とする請求項５記載の釣用仕掛け。
【発明の詳細な説明】
【技術分野】
【０００１】
本発明は、ワカサギ等の特に小魚を釣る際に用いて好適な釣用仕掛けに関する。
【背景技術】
【０００２】
一般に、湖では、ドーム船，氷上穴釣り，ボート釣り等により、ワカサギ釣りが行なわれることも多く、通常、ワカサギ等の小魚を釣る際には、上端が釣竿から吊下げられた支持ライン下端の支持基部により支持され、かつ下端で錘（シンカー）を支持する幹糸部に、先端に釣針を有する複数のハリス部を設けて構成される釣用仕掛けが用いられる。
【０００３】
従来、この種の釣用仕掛けとしては、特許文献１で開示される移動式仕掛け及び特許文献２で開示される釣用仕掛けが知られている。特許文献１の移動式仕掛けは、釣場の状況に応じて幹糸に対するハリスの取付位置を容易に変更可能にすることを目的としたものであり、具体的には、釣糸が挿通される挿通孔が設けられた仕掛け本体と、当該仕掛け本体に取り付き、釣糸に沿って糸を編み込んで形成したストッパとからなり、このストッパは、釣糸に沿って引っ張ることで釣糸に係止し、釣糸に沿ってストッパを縮めることで釣糸への係止が解除されるようにしたものである。
【０００４】
また、特許文献２の釣用仕掛けは、感度に優れた軽量かつシンプルな釣用仕掛けの提供を目的としたものであり、具体的には、複数のポリエチレン繊維が編み込まれたマルチフィラメントからなる幹糸と、当該幹糸の長手方向に沿って所定の間隔で配置された複数のハリス保持具とを有し、ハリス保持具は、幹糸が挿通する貫通孔が形成された保持器と、保持器の貫通孔に幹糸と共に挿通されたモノフィラメントからなる添糸とを備えるとともに、添糸は、幹糸と共に結ばれることにより保持器の両側に一対の結び目を形成し、かつ当該結び目は、保持器が幹糸の長手方向へ移動することを規制すべく保持器の近傍に配置されたものである。
【先行技術文献】
【特許文献】
【０００５】
【特許文献１】特開２００７−１５１４７７号公報
【特許文献２】特開２０１５−１９８６０８号公報
【発明の概要】
【発明が解決しようとする課題】
【０００６】
しかし、上述した特許文献１及び２の仕掛けをはじめ、従来の釣用仕掛けは、錘により垂れ下がった一本の幹糸に対して所定間隔おきに配した通常５〜１０本のハリスを分岐した状態で設けられるため、幹糸は太い糸（一般的には、０．３号糸）に設定されるとともに、ハリスは細い糸（一般的には、０．２号糸）に設定される。即ち、釣糸の径はそれぞれの糸の機能や要求強度に応じた理に適った太さに選定されるが、これ故に、次のような不具合も存在した。
【０００７】
第一に、この種の仕掛けは、釣り使用時に、小刻みに動かして魚（ワカサギ等）を誘う必要があるが、従来の仕掛けは、太い故に、幹糸による最適な動きを作りだしにくいとともに、細いハリスにより動きが餌まで伝わりにくい。しかも、幹糸の周りに細いハリスが浮遊する状態になるため、ハリスが幹糸に絡み付きやすい。結局、魚が餌に食いつきにくくなるなど、効率的な釣りを行うことができず、特に、初心者にとっては使いにくい難点があった。
【０００８】
第二に、魚は餌に食いついても直ぐには飲み込まないため、仕掛けの使用時にはいわゆるアワセのテクニックが必要になる。したがって、アワセのタイミングや操作を巧く行わない場合、結果的に、釣り上げが失敗に終わってしまう。特に、従来の仕掛けは、幹糸が太い故に、魚が餌をくわえても追従性が必ずしも良いとは言えないため、魚に違和感を与えることにより直ぐに吐き出させてしまう虞れもあるなど、釣り上げの失敗要因になりやすい難点があった。
【０００９】
本発明は、このような背景技術に存在する課題を解決した釣用仕掛けの提供を目的とするものである。
【課題を解決するための手段】
【００１０】
本発明は、上述した課題を解決するため、上端が支持基部Ｍにより支持され、かつ下端で錘Ｃを支持する幹糸部２と、この幹糸部２における複数の異なる中途位置に、先端に釣針Ｓ…を設けた複数のハリス部３ａ，３ｂ，３ｃ…の後端をそれぞれ結合してなる釣用仕掛け１を構成するに際して、ハリス部３ａ，３ｂ，３ｃ…における糸径Ｄｈと幹糸部２における糸径Ｄｍの関係を、Ｄｈ＞Ｄｍとなる糸径条件を満たすように設定してなることを特徴とする。
【００１１】
この場合、発明の好適な態様により、糸径条件は、ハリス部３ａ，３ｂ，３ｃ…の号数を、幹糸部２の号数に対して、１．５〜２．５倍の範囲に選定することが望ましい。特に、本発明に係る釣用仕掛け１は、少なくともワカサギＦｉを含む小魚釣りに用いて好適であり、この際の幹糸部２の号数は、０．０８号〜０．３号の範囲に選定するとともに、ハリス部３ａ，３ｂ，３ｃ…の号数は、０．２号〜０．４号の範囲に選定することが望ましい。加えて、この際におけるハリス部３ａ，３ｂ，３ｃ…の長さＬｈａ，Ｌｈｂ，Ｌｈｃ…は、１０〜３０〔ｍｍ〕の範囲に選定することが望ましい。
【発明の効果】
【００１２】
このような構成を有する本発明に係る釣用仕掛け１によれば、次のような顕著な効果を奏する。
【００１３】
（１）  ハリス部３ａ，３ｂ，３ｃ…における糸径Ｄｈと幹糸部２における糸径Ｄｍの関係を、Ｄｈ＞Ｄｍとなる糸径条件を満たすように設定したため、幹糸部２は、相対的に細くなる。これにより、釣り使用時に、魚を誘う最適な小刻みの動きを作りだすことができる。しかも、ハリス部３ａ，３ｂ，３ｃ…は、相対的に太くなるため、幹糸部２の動きを餌まで伝えやすいとともに、ハリス部３ａ，３ｂ，３ｃ…が幹糸部２に絡む不具合も低減できる。この結果、魚が餌に食いつきやすくなるなど、効率的な釣りを行うことができ、特に、初心者にとって使いやすい釣用仕掛けとして提供できる。
【００１４】
（２）  仕掛けの使用時における、いわゆるアワセのテクニック（タイミングや操作等）を巧く行わない場合であっても、幹糸部２が相対的に細く、ハリス部３ａ，３ｂ，３ｃ…が相対的に太いため、魚が餌をくわえた際における追従性を良好にできる。これにより、魚が餌をくわえた際の違和感を低減し、餌を直ぐに吐き出させてしまう不具合を回避できるなど、釣り上げの失敗要因の一つを解消できる。
【００１５】
（３）  好適な態様により、糸径条件を設定するに際し、ハリス部３ａ，３ｂ，３ｃ…の号数を、幹糸部２の号数に対して、１．５〜２．５倍の範囲に選定すれば、本発明の効果、即ち、魚を誘う小刻みの動きを最適化できる点、ハリス部３ａ，３ｂ，３ｃ…が幹糸部２に絡む不具合を低減できる点、魚が餌をくわえた際における追従性を良好にできる点等の各効果を十分に確保する観点から最適な形態として実施できる。
【００１６】
（４）  好適な態様により、本発明に係る釣用仕掛け１を、少なくともワカサギＦｉを含む小魚釣りに適用すれば、特に、ワカサギＦｉ釣りや類似の釣りを行う場合にとっての最適な仕掛けとして提供できる。
【００１７】
（５）  好適な態様により、幹糸部２の号数を、０．０８号〜０．３号の範囲に選定すれば、ワカサギＦｉ釣りや類似の釣りを行う場合における小魚の大きさや重さに対してマッチングさせる観点からの最適化を図ることができる。
【００１８】
（６）  好適な態様により、ハリス部３ａ，３ｂ，３ｃ…の号数を、０．２号〜０．４号の範囲に選定すれば、幹糸部２の号数（０．０８号〜０．３号の範囲）と組合わせた際の最適化を図ることができる。
【００１９】
（７）  好適な態様により、ハリス部３ａ，３ｂ，３ｃ…の長さＬｈａ，Ｌｈｂ，Ｌｈｃ…を、１０〜３０〔ｍｍ〕の範囲に選定すれば、ワカサギＦｉ釣りや類似の釣りを行う場合における小魚にマッチングさせる観点から更なる最適化を図ることができるとともに、従来の一般的な長さよりも短めに選定することにより、太めに選定したハリス部３ａ，３ｂ，３ｃ…の機能を、相乗的作用によってより高めることができる。
【図面の簡単な説明】
【００２０】
【図１】本発明の好適実施形態に係る釣用仕掛けの要部となる一部を抽出して示す外観構成図、
【図２】同釣用仕掛けの原理説明図、
【図３】同釣用仕掛けの全体構成図、
【図４】同釣用仕掛けの使用説明図、
【図５】同釣用仕掛けの他の使用説明図、
【図６】同釣用仕掛けの作用説明図、
【発明を実施するための形態】
【００２１】
次に、本発明に係る好適実施形態を挙げ、図面に基づき詳細に説明する。
【００２２】
まず、本実施形態に係る釣用仕掛け１の全体の基本構成について、図３及び図４を参照して説明する。
【００２３】
釣用仕掛け１は、図３に示すように、一本の幹糸部２と複数本（例示は５本）のハリス部３ａ，３ｂ，３ｃ，３ｄ，３ｅを備えて構成する。幹糸部２は、上端及び下端に、それぞれ結合したスナップジョイント（スイベルジョイント）１１，１２を備える。これにより、図４に示すように、幹糸部２の上端は、釣竿Ｐｍから吊下げられた支持ラインＰｐ下端の支持基部Ｍにより支持されるとともに、幹糸部２の下端により、錘（シンカー）Ｃを支持することができる。幹糸部２に用いる糸素材としては、柔らかさが特徴のナイロン樹脂素材により形成することが望ましいが、特定の素材に限定されるものではなく、ＰＥ（ポリエチレン）樹脂素材やフロロカーボン素材など、各種の素材を利用可能である。
【００２４】
一方、幹糸部２における複数（例示は５個所）の異なる中途位置には、複数のハリス部３ａ，３ｂ，３ｃ…の後端をそれぞれ結合する。実施形態は、結合方法として、ハリス糸の後端部分を、幹糸部２の所定位置に、直接結び付ける結合方法を一例として示したが、この結び方法としては、八の字結び等の各種の結び方法を利用できるとともに、その他、プラスチック製の結合具を用いて結合したり、接着剤等により結合するなど、他の各種結合方法を適用できる。図１中、１３は幹糸部２とハリス部３ａの結び目を示している。
【００２５】
各ハリス部３ａ，３ｂ，３ｃ…に用いる糸素材としては、特定の素材に限定されるものではなく、上述した幹糸部２の糸素材と同じナイロン樹脂素材であってもよいし、或いは伸縮性の無いＰＥ樹脂素材も好ましい糸素材として使用できる。その他、フロロカーボン素材など、各種の素材を利用可能である。また、各ハリス部３ａ，３ｂ，３ｃ…の先端には、釣針Ｓ…を設ける。この場合の結合方法も公知の結合方法を利用可能である。実施形態では、釣針Ｓの後端部分とハリス糸の前端部分を、合成樹脂材１４により一体に固めた結合方法を一例として示した。
【００２６】
図３は、特に、ワカサギ釣りに用いて好適な釣用仕掛け１の全体構成を示すとともに、具体的な望ましいディメンションを示した。図３に示す幹糸部２の全体長は７８〔ｃｍ〕であり、幹糸部２の上端と一段目のハリス部３ａ間の寸法Ｌｍａ，一段目のハリス部３ａと二段目のハリス部３ｂ間の寸法Ｌｍｂ，二段目のハリス部３ｂと三段目のハリス部３ｃ間の寸法Ｌｍｃ，三段目のハリス部３ｃと四段目のハリス部３ｄ間の寸法Ｌｍｄ，四段目のハリス部３ｄと五段目のハリス部３ｅ間の寸法Ｌｍｅ，五段目のハリス部３ｅと幹糸部２の下端間の寸法Ｌｍｆは、それぞれ、Ｌｍａ＝８〔ｃｍ〕，Ｌｍｂ＝１２〔ｃｍ〕，Ｌｍｃ＝２０〔ｃｍ〕，Ｌｍｄ＝２０〔ｃｍ〕，Ｌｍｅ＝１２〔ｃｍ〕，Ｌｍｆ＝６〔ｃｍ〕に選定した。
【００２７】
また、一段目のハリス部３ａの寸法Ｌｈａ，二段目のハリス部３ｂの寸法Ｌｈｂ，三段目のハリス部３ｃの寸法Ｌｈｃ，四段目のハリス部３ｄの寸法Ｌｈｄ，五段目のハリス部３ｅの寸法Ｌｈｅの寸法は、それぞれ、Ｌｈａ＝２５〔ｍｍ〕，Ｌｈｂ＝２５〔ｍｍ〕，Ｌｈｃ＝１５〔ｍｍ〕，Ｌｈｄ＝１５〔ｍｍ〕，Ｌｈｅ＝１５〔ｍｍ〕に選定した。このように、本実施形態に係る釣用仕掛け１におけるハリス部３ａ，３ｂ，３ｃ…の寸法（長さ）は、一般的な釣用仕掛けのディメンションよりも短く選定している。即ち、ワカサギ釣りに用いる一般的な釣用仕掛けにおけるハリス部の寸法は、３０〔ｍｍ〕程度に選定されるが、本実施形態に係る釣用仕掛け１における寸法は、一般的な釣用仕掛けにおける寸法に対して概ね５０〜８５〔％〕の寸法に選定できる。
【００２８】
次に、本実施形態に係る釣用仕掛け１の要部の構成について、図１〜図３（図６）を参照して具体的に説明する。
【００２９】
本実施形態に係る釣用仕掛け１は、図２に示すように、ハリス部３ａ（他のハリス部３ｂ，３ｃ，３ｄ，３ｅも同じ）における糸径Ｄｈと幹糸部２における糸径Ｄｍの関係を、Ｄｈ＞Ｄｍとなる糸径条件を満たすように設定する。
【００３０】
具体的には、ハリス部３ａの号数を、幹糸部２の号数に対して、１．５〜２．５倍の範囲に選定することが望ましい。このような範囲に選定すれば、本発明の効果、即ち、魚を誘う小刻みの動きを最適化できる点、ハリス部３ａ，３ｂ，３ｃ…が幹糸部２に絡む不具合を低減できる点、魚が餌をくわえた際における追従性を良好にできる点等の各効果を十分に確保する観点から最適な形態として実施できる利点がある。
【００３１】
特に、本実施形態に係る釣用仕掛け１は、ワカサギＦｉ（図６参照）等の小魚釣りに用いて好適であり、ワカサギＦｉ釣りや類似の釣りを行う場合にとって最適な仕掛けとして用いることができる。実施形態で示す釣用仕掛け１は、ワカサギ釣りに用いる釣用仕掛け１を想定したものである。
【００３２】
したがって、ワカサギＦｉ釣りに望ましい幹糸部２の号数は、０．０８号〜０．３号の範囲に選定できる。実施形態は、幹糸部２の号数として、０．１５号を使用した場合を例示する。このように、幹糸部２の号数を、０．０８号〜０．３号の範囲に選定すれば、ワカサギＦｉ釣りや類似の釣りを行う場合における小魚の大きさや重さに対してマッチングさせる観点からの最適化を図れる利点がある。なお、ワカサギＦｉの成魚の重さは、通常、２〜３〔ｇ〕であり、幹糸部２の太さを、０．０８号〜０．３号の範囲に選定しても十分な引張強度を確保できることを確認している。
【００３３】
一方、ハリス部３ａ（他のハリス部３ｂ，３ｃ，３ｄ，３ｅも同じ）の号数は、０．２号〜０．４号の範囲に選定できる。この場合、ハリス部３ａの太さは、釣針Ｓの重量に耐え、釣針Ｓを水平方向に位置取りできる点を考慮して、できるだけ太い号数が望ましい。なお、ハリス部３ａの太さを選定するに際し、釣針Ｓを水平方向に位置取りできる号数を選定するとは、正確な水平方向を意味するものではなく、例えば、下方に６０〔°〕程度傾斜する態様など、要は、縦方向の幹糸部２に対して横方向に分岐する趣旨であり、より具体的には、幹糸部２に対して絡みにくく、かつ幹糸部２を上下に動かした際に、釣針Ｓが適度に揺れる太さに選定することができる。実施形態は、ハリス部３ａの号数として、０．２５号を使用した場合を例示する。このように、ハリス部３ａの号数を、０．２号〜０．４号の範囲に選定すれば、幹糸部２の号数（０．０８号〜０．３号の範囲）と組合わせた際の最適化を図れる利点がある。
【００３４】
また、ハリス部３ａ…の長さＬｈａ…は、１０〜３０〔ｍｍ〕の範囲に選定することが望ましい。前述したように、ワカサギ釣りに用いる一般的な釣用仕掛けにおけるハリス部の長さは、３０〔ｍｍ〕程度に選定されるが、本実施形態に係る釣用仕掛け１におけるハリス部３ａ…の長さＬｈａ…は、一般的な釣用仕掛けの長さよりも短くし、概ね５０〜８５〔％〕範囲に選定する。
【００３５】
具体的には、前述したように、一段目のハリス部３ａ及び二段目のハリス部３ｂの各寸法Ｌｈａ及びＬｈｂを、共に２５〔ｍｍ〕、三段目のハリス部３ｃ，四段目のハリス部３ｄ及び五段目のハリス部３ｅの各寸法Ｌｈｃ，Ｌｈｄ及びＬｈｅを、共に１５〔ｍｍ〕に選定した。このように、ハリス部３ａ，３ｂ，３ｃ…の長さＬｈａ，Ｌｈｂ，Ｌｈｃ…を、１０〜３０〔ｍｍ〕の範囲に選定すれば、ワカサギＦｉ釣りや類似の釣りを行う場合における小魚にマッチングさせる観点から更なる最適化を図ることができるとともに、従来の一般的な長さよりも短めに選定することにより、太めに選定したハリス部３ａ，３ｂ，３ｃ…の機能を、相乗的作用によってより高めることができる利点がある。
【００３６】
次に、本実施形態に係る釣用仕掛け１の使用方法及び作用について、図４〜図６を参照して説明する。
【００３７】
図４〜図６は、ワカサギＦｉ釣りの態様を示している。まず、本実施形態に係る釣用仕掛け１を使用するに際しては、図４に示すように、幹糸部２の上端に設けたスナップジョイント１１を、釣竿Ｐｍから吊下げられる支持ラインＰｐ下端の支持基部Ｍに連結する。また、幹糸部２の下端に設けたスナップジョイント１２には、錘（シンカー）Ｃを吊下げる。
【００３８】
そして、各ハリス部３ａ…における釣針Ｓ…には、図６に示すように、餌Ｆｏを取付ける。なお、ワカサギＦｉ釣りに使用する餌Ｆｏとしては、「蛆虫」，「サシ」，「紅サシ」，「赤虫」などの生き餌をはじめ、人工の疑似餌が用いることができる。また、餌を付けないカラ針であってもよい。
【００３９】
一方、使用する際には、図４に示すように、湖Ｒに浮いたボート等から仕掛け１を吊下げて使用する。図４は、錘Ｃが、湖底よりも上に位置している状態を示している。このような状態であっても、本実施形態に係る釣用仕掛け１は、幹糸部２を相対的に細くし、かつハリス部３ａ…を相対的に太くしているため、幹糸部２に対するハリス部３ａ…の絡み付きは起きにくい。
【００４０】
また、図５は、錘Ｃが湖底Ｒｄに着いた状態を示している。今、この状態において、ワカサギＦｉを誘うために、釣竿Ｐｍを小刻みに動かした場合を想定する。この場合、幹糸部２は相対的に細く、かつハリス部３ａ…は相対的に太いため、図５に示すように、幹糸部２を波状に振らせることができる。図６中、仮想線矢印Ｋｓは、幹糸部２か波状に振られた範囲を示している。本実施形態に係る釣用仕掛け１は、幹糸部２が相対的に細くなっているため、ワカサギＦｉを誘う小刻みの最適な動きを作りだすことができる。加えて、ハリス部３ａ，３ｂ，３ｃ…は、相対的に太くなるため、幹糸部２の動きを餌Ｆｏまで伝えやすい。
【００４１】
さらに、図６は、餌ＦｏにワカサギＦｉが食いついた状態を示している。この場合、一般的には、釣用仕掛け１を上方へ引張るアワセの操作を行うが、このアワセのテクニック（タイミングや操作等）を巧く行わない場合であっても、本実施形態に係る釣用仕掛け１は、幹糸部２が相対的に細く、ハリス部３ａ，３ｂ，３ｃ…が相対的に太いため、図６に、仮想線矢印Ｋｐで示すように、ワカサギＦｉが餌Ｆｏをくわえた際における幹糸部２の追従性を良好にすることができる。
【００４２】
このように、本実施形態に係る釣用仕掛け１は、ハリス部３ａ，３ｂ，３ｃ…における糸径Ｄｈと幹糸部２における糸径Ｄｍの関係を、Ｄｈ＞Ｄｍとなる糸径条件を満たすように設定したため、幹糸部２は、相対的に細くなる。これにより、釣り使用時に、魚を誘う小刻みの動きが最適となるように作りだしやすい。しかも、ハリス部３ａ，３ｂ，３ｃ…は、相対的に太くなるため、幹糸部２の動きを餌まで伝えやすいとともに、ハリス部３ａ，３ｂ，３ｃ…が幹糸部２に絡む不具合も低減できる。この結果、魚が餌に食いつきやすくなるなど、効率的な釣りを行うことができ、特に、初心者にとって使いやすい釣用仕掛けとして提供できる。
【００４３】
また、仕掛けの使用時における、いわゆるアワセのテクニック（タイミングや操作等）を巧く行わない場合であっても、幹糸部２が相対的に細く、ハリス部３ａ，３ｂ，３ｃ…が相対的に太いため、魚が餌をくわえた際における追従性を良好にできる。これにより、魚が餌をくわえた際の違和感を低減し、餌を直ぐに吐き出させてしまう不具合を回避できるなど、釣り上げの失敗要因の一つを解消できる。
【００４４】
以上、好適実施形態について詳細に説明したが、本発明は、このような実施形態に限定されるものではなく、細部の構成，形状，素材，数量，数値等において、本発明の要旨を逸脱しない範囲で、任意に変更，追加，削除することができる。
【００４５】
例えば、実施形態では、幹糸部２の号数として、０．１５号を選定し、ハリス部３ａ，３ｂ，３ｃ…の号数として、０．２５号を選定した場合を示したが、幹糸部２の号数を０．１号に選定し、ハリス部３ａ，３ｂ，３ｃ…の号数を０．２号に選定したり、幹糸部２の号数を０．３号に選定し、ハリス部３ａ，３ｂ，３ｃ…の号数を０．３５号に選定するなど、各種号数の組合わせにより実施可能である。特に、幹糸部２の号数は、０．０８号〜０．３号の範囲に選定することが望ましいとともに、ハリス部３ａ，３ｂ，３ｃ…の号数は、０．２号〜０．４号の範囲に選定することが望ましいが、基本的には、ハリス部３ａ，３ｂ，３ｃ…における糸径Ｄｈと幹糸部２における糸径Ｄｍの関係が、Ｄｈ＞Ｄｍとなる糸径条件を満たしていればよい。また、ハリス部３ａ，３ｂ，３ｃ…の長さＬｈａ，Ｌｈｂ，Ｌｈｃ…は、１０〜３０〔ｍｍ〕の範囲に選定することが望ましいが、この範囲を外れる長さを排除するものではない。
【産業上の利用可能性】
【００４６】
本発明に係る釣用仕掛けは、ワカサギ等の各種小魚の釣りに利用して最適であるが、小魚以外の釣りにも利用できるとともに、オイカワ等の淡水魚やアジ、イワシ、カサゴ等の各種海水魚を釣る際における様々な釣り用途に利用できる。
【符号の説明】
【００４７】
１：釣用仕掛け，２：幹糸部，Ｍ：支持基部，Ｃ：錘，Ｓ…：釣針，３ａ：ハリス部，３ｂ：ハリス部，３ｃ：ハリス部，Ｄｈ：ハリス部における糸径，Ｄｍ：幹糸部における糸径，Ｆｉ：ワカサギ，Ｌｈ：ハリス部の長さ
【図１】
2018093810.tif 000003
【図２】
2018093810.tif 000004
【図３】
2018093810.tif 000005
【図４】
2018093810.tif 000006
【図５】
2018093810.tif 000007
【図６】
2018093810.tif 000008